(57)【要約】      （修正有）【課題】乗物用の芳香剤拡散装置で、人手による操作・調節の手間を要さずに、芳香が必要時には自動的・積極的に芳香成分を発散・拡散でき、不要時にはそれを抑制できて経済性にも優れたものを、シンプルな構成で安価に提供する。【解決手段】市販の芳香剤または芳香剤入り容器５を収容可能な本体部１をもつ容器で、その少なくとも一部に、内部を封止状態のままで、弾性で上方向へ付勢された伸縮可動部６を設けるとともに、蓋部２に、乗物の移動で生じる振動により上下方向への伸縮を繰り返し得る重さを持たせ、かついずれかの部分に内外を連結する通気孔８を形成して、乗物の振動により芳香が発散・拡散可能とする。【選択図】図１
0003140434.tif 000002
【実用新案登録請求の範囲】
【請求項１】
市販の芳香剤４または芳香剤入り容器５を収容可能な本体部１をもつ容器で、
少なくとも一部に、内部を封止状態のままで、弾性で上方向へ付勢された伸縮可動部６を設けるとともに、
蓋部２に、乗物の移動時に生じる振動により、上記弾性とのバランスで上下方向への伸縮を繰り返し得る重さを持たせ、
かつ容器のいずれかの位置に、内外を連結する通気孔８を形成してなる、乗物用の芳香剤拡散装置。
【請求項２】
市販の芳香剤４または芳香剤入り容器５を収容可能な本体部１をもつ容器で、
上記本体部１のほぼ上半部を、弾性体９で上方向へ付勢された伸縮可動部６に形成するとともに、
蓋部２を、上記伸縮可動部６が乗物の移動で生じる振動により、弾性体９の弾力とのバランスで伸縮を繰り返し得る重さを有するものとし、
かつ、いずれかの部分に内外を連通する通気孔８を形成してなる、乗物用の芳香剤拡散装置。
【請求項３】
市販の芳香剤４または芳香剤入り容器５を収容可能な本体部１をもつ容器で、
上記本体部１の少なくとも上半部に、それ自体の弾性で上方向へ付勢された蛇腹状の伸縮可動部６を形成するとともに、
蓋部２を、上記伸縮可動部６が乗物の移動で生じる振動により、上記弾性とのバランスで伸縮を繰り返し得る重さを有するものとし、
かつ、いずれかの部分に内外を連通する通気孔８を形成してなる、乗物用の芳香剤拡散装置。
【請求項４】
内部に市販の芳香剤４または芳香剤入り容器５を収容可能な本体部１をもつ容器で、
上部に蓋部２をヒンジ部１９で開閉可能に連結し、本体部１の開口縁１８と蓋部２の開口縁１７との間に、内部を封止した状態で上下方向へ伸縮可能な伸縮可動部６を設けるとともに、
上記蓋部２に上方へ開くように弾性を持たせて、乗物による振動を受けて該蓋部２が上下方向への往復運動を繰り返し得るようにし、
かつ、いずれかの部分に、内外を連通する通気孔８を形成してなる、乗物用の芳香剤拡散装置。
【請求項５】
弾性体として、伸縮可動部６の内周面に沿う如くコイルバネ９を用いた、請求項１または２に記載の乗物用の芳香剤拡散装置。
【請求項６】
伸縮可動部６に作用する弾性と蓋部２の重さとの関係を、乗物の振動により伸縮可動部６が上下方向への振幅ができるだけ大きく、かつ繰り返し行われるようなバランスに設定した、請求項１ないし５に記載の乗物用の芳香剤拡散装置。
【請求項７】
内部に収容した芳香剤４または芳香剤入り容器５を、蓋部２の重さとして利用可能に、上下を逆向きに載置可能とした、請求項１ないし６に記載の乗物用の芳香剤拡散装置。
【考案の詳細な説明】
【技術分野】
【０００１】
本考案は、自動車その他の乗物内で芳香剤や消臭剤（以下芳香剤と総称する）を使用する場合の芳香剤の発散・拡散装置に関するものである。より詳しくは、人が乗った乗物が移動時等で芳香が必要な場合には、その振動によって芳香成分を自動的・積極的に発散・拡散させ、また人が乗っておらず乗物が停止時等で芳香が必要ないような場合には、その発散・拡散を抑えることができることを特徴とする。
【背景技術】
【０００２】
自動車その他の乗物内は比較的に閉じられた空間であるため、例えば汗や喫煙その他のにおいが留まりやすく、それを嫌って芳香剤が用いられることが多い。市販の芳香剤には液状、固形状、粒状、ジェル状のもの等があるが、いずれも揮発性の芳香成分が容器の開口部（通気孔）から発散し拡散されるので、芳香剤をそのまま乗物内に載置しておくと、常時に発散・拡散し続けることになる。そのため、乗物内に人がおらず芳香が不要であるにもかかわらず芳香が充満してしまったり、また短期間で消耗されてしまって不経済であったりする。
【０００３】
そこで、芳香剤容器の蓋を手で開閉したり、開口部の大きさを調節するものもあるが、人手による手間を要して煩わしいし、調節を忘れてしまったりすることも少なくない。そのためこれまでも、人手によらずとも、芳香が必要時には積極的に発散・拡散が行われ、不要時には発散・拡散を抑止する芳香剤拡散装置が考案されている。
【０００４】
例えば、芳香が必要時にモーターやプロペラを利用して芳香成分を発散・拡散させるもの（例えば登録実用新案第３１０２９７４号公報、特開平９−１９４９１号公報参照）、超音波振動手段を利用して発散・拡散させるもの（例えば実開平３−１０７９３５号公報参照）、またはピエゾ駆動式圧力振動波発生手段を用いて発散・拡散させるもの（例えば特開平−１６１７０５号公報参照）、モーターやソレノイドにより振動板を脈動させて芳香成分を発散・拡散させるもの（例えば特開２００６−２７１７７２号公報参照）等があった。
【０００５】
しかしこれらは、電池あるいは電源を必要とする上に、超音波振動手段、ピエゾ駆動式圧力振動発生手段その他の特殊な電気的・機械的部品を必要としたり、構造が複雑で製造コストが高くついたり、さらには人手によりスイッチをＯＮ・ＯＦＦする手間が必要であったりした。
【０００６】
そこで、乗物で不可避的に発生する「振動」を利用することにより、人手を要せず、芳香が必要時には積極的に芳香成分を発散・拡散させ、不要時には抑制しようとするものも考案されている。例えば以下の公報に記載されたものがそれである。
【０００７】
【特許文献１】実公平１−３１２２７号公報  これは、芳香剤が収容された容器本体の上面に、コイルバネで上方へ付勢されて閉止可能な蓋体を設け、この蓋体に上部に重り付きの棒部を立設したものである。これを乗物内で台上に載置固定させておき、乗物の揺れで上記重りや棒部が揺れることで、蓋体と容器上面部との間で隙間を生じさせ、そこから芳香成分が発散・拡散されるようにしたものである。
【０００８】
【特許文献２】実用新案登録第２５９１７４０号公報  これは、動物の頭を形どった頭部の後端部に、芳香剤が収容された容器を着脱可能に設け、動物の胴体を形どった胴体部の開口に該頭部を挿入して揺動自在に支持させ、乗物内の台上に固定させた胴体部に加わる振動で頭部を介して容器を揺動させることにより、芳香液へ含浸透した芯材の上端から芳香成分を発散・拡散するようにしたものである。
【０００９】
【特許文献３】実用新案登録第３０７１４８９号公報  これは、容器本体の上部を中心に向かって傾斜した凹面にするとともに、その中心に通気孔を設けて、傾斜凹面に通気孔を閉止し得る抑制球を転動可能に載置したものであり、乗物の振動で通気孔が開くことで芳香成分が発散・拡散するようにしたものである。
【考案の開示】
【考案が解決しようとする課題】
【００１０】
ところが、上記従来のものには次のような問題点があった。
イ）上記特許文献１に記載のものは、蓋体と容器上面部との隙間が微妙であり、芳香剤の補充のため蓋体を開閉した際の締め具合で、芳香成分の発散・拡散量に差が生じたり、隙間にホコリ等が溜まることで芳香が発散・拡散しなくなる可能性があった。
【００１１】
ロ）上記特許文献２に記載のものは、乗物の振動で頭部を揺動させることで後部の芳香剤容器を揺動させるものであるから、芳香液の減少に伴い容器の揺動状態が異なり、芳香の発散・拡散する量が減ってくることが考えられる。
【００１２】
ハ）上記特許文献３に記載のものは、凹面の傾斜がきついと抑止球が中心から転動し難くて通気孔が開き難いし、傾斜がゆるくても傾斜凹面や抑止球にゴミや芳香液が付着した場合には、抑止球がやはり転動し難く通気孔が開き難くなる等の問題点がそれである。
【００１３】
本考案は、上記従来の乗物用の芳香剤拡散装置がもつ問題点の解消を課題としている。即ち本考案の目的は、シンプルな構成で安価に製造可能ながら、市販のいろんな種類の芳香剤を使用でき、特殊な電気的・機械的部品を用いず、人手による操作・調節の手間を要せずに、芳香が必要な際には自動的・積極的に芳香成分の発散・拡散ができ、不要時には発散・拡散を抑制できて経済性にも優れた、乗物用の芳香剤拡散装置を提供することである。
【課題を解決するための手段】
【００１４】
Ｉ  本考案に係る乗物用の芳香剤拡散装置の第１は、
市販の芳香剤４または芳香剤入り容器５を収容可能な本体部１をもつ容器で、
少なくとも一部に、内部を封止状態のままで、弾性で上方向へ付勢された伸縮可動部６を設けるとともに、
蓋部２に、乗物の移動時に生じる振動により、上記弾性とのバランスで上下方向への伸縮を繰り返し得る重さを持たせ、
かつ容器のいずれかの位置に、内外を連結する通気孔８を形成したものである。
【００１５】
ＩＩ  本考案に係る乗物用の芳香剤拡散装置の第２は、
市販の芳香剤４または芳香剤入り容器５を収容可能な本体部１をもつ容器で、
上記本体部１のほぼ上半部を、弾性体９で上方向へ付勢された伸縮可動部６に形成するとともに、
蓋部２を、上記伸縮可動部６が乗物の移動で生じる振動により、弾性体９の弾力とのバランスで伸縮を繰り返し得る重さを有するものとし、
かつ、いずれかの部分に内外を連通する通気孔８を形成したものである。
【００１６】
ＩＩＩ  本考案に係る乗物用の芳香剤拡散装置の第３は、
市販の芳香剤４または芳香剤入り容器５を収容可能な本体部１をもつ容器で、
上記本体部１の少なくとも上半部に、それ自体の弾性で上方向へ付勢された蛇腹状の伸縮可動部６を形成するとともに、
蓋部２を、上記伸縮可動部６が乗物の移動で生じる振動により、上記弾性とのバランスで伸縮を繰り返し得る重さを有するものとし、
かつ、いずれかの部分に内外を連通する通気孔８を形成したものである。
【００１７】
ＩＶ  本考案に係る乗物用の芳香剤拡散装置の第４は、
内部に市販の芳香剤４または芳香剤入り容器５を収容可能な本体部１をもつ容器で、
上部に蓋部２をヒンジ部１９で開閉可能に連結し、本体部１の開口縁１８と蓋部２の開口縁１７との間に、内部を封止した状態で上下方向へ伸縮可能な伸縮可動部６を設けるとともに、
上記蓋部２に上方へ開くように弾性を持たせて、乗物による振動を受けて該蓋部２が上下方向への往復運動を繰り返し得るようにし、
かつ、いずれかの部分に、内外を連通する通気孔８を形成したものである。
【考案の効果】
【００１８】
本考案に係る乗物用の芳香剤拡散装置によれば、次のような作用・効果を奏する。
ａ）芳香剤または芳香剤入り容器５を収容した本芳香剤拡散装置を、乗物内のいずれかの場所例えば自動車ならダッシュボード１６上に両面テープ１５等で載置固定して用いればよく、乗物に人が乗って芳香を必要とするような場合に、自動的かつ積極的に芳香成分を発散・拡散することができる。
【００１９】
即ち、本芳香剤拡散装置は、市販の芳香剤４または芳香剤入り容器５を収容可能な大きさの容器で、その少なくとも一部に、内部を封止状態のままで、弾性で上方向へ付勢された伸縮可動部６を設けるとともに、蓋部２に、乗物の移動で生じる振動により、上記弾性とのバランスで上下方向への伸縮を繰り返し得る重さを持たせ、かつ容器のいずれかの位置に、内外を連結する通気孔８を形成してなるものである。
【００２０】
上記のように、本芳香剤拡散装置では、伸縮可動部６が蓋部２の重さで下方へ短縮しようとし、他方該伸縮可動部６は弾性をもって上方へ付勢されているから上方へ伸長しようとしている。今乗物が移動時には、路面状況や加・減速Ｇ、横Ｇ等の作用により必然的に振動（揺れ）が生じるから、これらの振動を受けて本芳香剤拡散装置も上下方向へ振動する。このように、乗物の移動時に生じる振動を受けることにより、本装置の伸縮可動部６は、上記上下方向への伸縮動作を繰り返し行うことになる。
【００２１】
この伸縮可動部６の伸縮動作に伴って、装置の内容積が変化するから、内部の気圧の変動で空気の流れが生じる。つまり、伸縮可動部６が短縮時にはこの装置内の気圧が高くなり、内部に溜まっている芳香成分が自動的・積極的に通気孔８から発散・拡散し、逆に伸縮可動部６が伸長時にはこの装置内の空気圧が低くなるから、芳香剤または芳香剤入り容器５から芳香成分が装置内へ気化するとともに、通気孔８からは外気が入ってくる。
【００２２】
したがって、本芳香剤拡散装置は、乗物の振動により言わばポンプ作用を繰り返し行うことになるから、移動時中の乗物内では、人手による手間を要さずに、繰り返し自動的かつ積極的に本芳香剤拡散装置から芳香を発散・拡散させることができる。
【００２３】
ｂ）他方、乗物が停止時には、乗物に振動が生じないから、本芳香剤拡散装置の伸縮可能部６は上下方向への伸縮が生じない。そのため、装置の内容積は変化せず気圧も変動しないから、人手による手間を要さずとも、この装置から芳香が積極的に発散・拡散することが抑制されている。
【００２４】
したがって、人が乗らず乗物が停止中で芳香が必要ないような場合には、本芳香剤拡散装置では僅かに自然流出だけが行われており、芳香剤は消耗を最小限に抑えることができて、経済性に優れている。
【００２５】
ｃ）本考案の芳香剤拡散装置は、上記の効果を奏するものでありながら、従来のものと比べて、シンプルな構成で安価に製造することができる。
即ち、本芳香剤拡散装置は、乗物が移動時に必然的に発生する振動を駆動力に利用したもので、それによる揺動により、伸縮可動部６を上下方向へ伸縮させ、この装置内気圧を変動させることで、内部から芳香成分を自動的・積極的に発散・拡散させるように構成したものである。
【００２６】
そのため、従来のものと異なり、電池・電源やモータ、あるいは超音波振動手段その他の特殊な電気部品や機械部品を必要とせぬ構成であるから、安価に製造することができるし、またシンプルな構成であるから故障の発生も殆どない。
【００２７】
ｄ）さらには、本考案の芳香剤拡散装置は、人の好みや用途に応じて、市販のいろんな種類の芳香剤を選択・使用することができる。
【００２８】
即ち、本考案の芳香剤拡散装置は、市販の芳香剤４または芳香剤入り容器５を収容可能なものであり、特定の芳香剤または芳香剤入容器の専用のものではないから、市販されている各種の芳香剤、芳香剤入り容器の中から、各人の好みや用途に応じて最適なものを選択し、この装置内へ収容して使用することができる。
【００２９】
ｅ）本考案の芳香剤拡散装置は、乗物の停止時や、移動時においても急速に芳香成分を発散・拡散させたいような場合には、人が手で蓋部２を数回押下げれば、上記と同様に伸縮可動部６が伸縮することで、積極的に芳香を発散・拡散させることができる。
【００３０】
ｆ）なお、この芳香剤拡散装置は「乗物用」としたが、需要者が必要に応じてそれ以外の用途、例えば振動する機械等に載置して用いても、上記と同様の効果を発揮できるものである。
【考案を実施するための最良の形態】
【００３１】
図１ないし図３で示すように、市販の芳香剤４または芳香剤入り容器５を収容した状態で上下方向への伸縮が可能な本体部１と、上部の蓋部２とで構成する。その本体部１は円筒状でよいが、それに限らず角筒状やダルマ状でもよい。該本体部１は、例えばそのほぼ上半部を、弾性体９で上方向へ付勢された伸縮可動部６に形成しておくのがよい。上記蓋部２は、上記伸縮可動部６が乗物の移動で生じる振動により弾性体９の弾力とのバランスで上下方向への伸縮を繰り返し得る重さを有するものとする。そして本体部１か蓋部２に内外を連通する通気孔８を形成しておく。
【００３２】
上記本体部１の少なくとも一部を上下方向へ伸縮可能とするためには、例えばほぼ上半部を柔軟性のある樹脂フィルムにより、内部を封止状態にするとともに上下方向への伸縮可動部６とすることが望ましい。この伸縮可動部６は、上方へ伸長するように弾性材を設けるものとし、例えば本体部１の内周にコイルバネ９を周設することで上方向へ付勢させておく。
【００３３】
該伸縮可動部６は上記のものに限らず、例えば蛇腹状としてもよく、それ自体の弾性で上方へ付勢されて筒状本体部１を形成するようにしておいてもよい。蓋部２は、乗物の移動で生じる振動により、該伸縮可動部６が伸縮を繰り返し得るように、上記コイルバネ９のバネ力や蛇腹状部分の弾性とバランスする重さにすればよいが、蓋部２が軽い場合には重り部７を設けておけばよい。
【実施例１】
【００３４】
図１ないし図３は、本考案に係る乗物用の芳香剤拡散装置の第１の実施例を示すものである。
プラスチック製の筒状本体部１と蓋部２と底部３を有するものであり、ここでは正面から見てダルマ形状をしており、下半部が球殻状で市販の芳香剤入り容器５を収容可能に底部側の内径を約８０ｍｍとし、かつ上半部は伸長した際にほぼ円筒状となるものである。芳香剤入り容器５を収容した状態で上下方向へ伸縮可能に、ここでは全体の高さを約１３０ｍｍとしてある。
【００３５】
上記本体部１の下半部は、ここでは厚みが約１．５ｍｍの軟質プラスチック製の球殻状であるが、上半部のここでは約６０ｍｍの高さ分を、軟質で柔軟性のある厚さ約０．０５ｍｍのプラスチックフィルム製として、伸長時に円筒状の伸縮可動部６となるようにしてある。そして該伸縮可動部６の内周面へ沿う如くに、弾性体としてここでは線径が約１．５ｍｍの圧縮コイルバネ９を周設して、上方向へ伸長するように付勢してある。
【００３６】
該コイルバネ９の取付けは、ここでは下端縁を本体部１の下半部の上端縁に係止させ、上端縁を上記蓋部２の下端面に係止させて、伸縮可動部６を上方へ付勢させてある。
【００３７】
また上記蓋部２の下面にはここでは重り部７を設けてあるが、これは上記の如くコイルバネ９で上方へ付勢された伸縮可動部６が、乗物の移動で生じる振動により上下方向への伸縮を繰り返し得るようにするものであり、ここでは重さ約２０ｇの鉄板を装着してバランスをとっている。
【００３８】
本体部１の下端部は底部３との間で、ネジ部１０，１１により離脱可能に装着して、芳香剤入り容器５を可能としてある。８は通気孔を示し、ここでは本体部１の下部寄り位置に周方向へ等間隔状に内径約３ｍｍの小孔を６個形成してある。図において、１４，１５は両面テープ、１６は乗物のダッシュボードの一部を示す。
【実施例２】
【００３９】
次に、図４は本考案に係る乗物用の芳香剤拡散装置の第２の実施例を示す。
軟質プラスチック製で、ほほ円筒状本体部１と蓋部２と底部３とを有するもので、ここでの円筒状本体部１の上半部は、上下方向へ伸縮可能なやや縦長の蛇腹状として伸縮可動部６とし、該伸縮可動部６下部の円筒状の下半部は、市販の芳香剤４を収容可能に内径が約８０ｍｍとしある。
【００４０】
また該円筒状本体部１の高さは、芳香剤４を収容した状態で上下方向へ伸縮可能に、全体の高さが約１４０ｍｍで、下半部の高さを約７０ｍｍとしてある。該本体部１は、ここでは厚みが約１．５ｍｍの軟質プラスチック製であるが、その上半部の蛇腹状の伸縮可動部６は、それ自体の材質により上方向へ伸長可能な弾性を有するようにしてある。
【００４１】
上記蓋部２にも、上記の如く上方へ付勢された蛇腹状の伸縮可動部６が、乗物の移動で生じる振動により上下方向への伸縮を繰り返し得るように、ここでは重さ約２０ｇの板状の重り部７を設けてバランスをとっている。
【００４２】
本体部１の下端部は底部３との間で、環状のリブ１３と凹部１２とにより離脱可能に装着して、芳香剤入り容器５を出入可能としてある。図において、８は通気孔、１４，１５は両面テープを示す。
【実施例３】
【００４３】
図５は本考案に係る乗物用の芳香剤拡散装置の第３の実施例を示す。
本体部１に蓋部２を、ヒンジ部１９で回動して開閉可能に連結した二枚貝状のもので、内部に市販の芳香剤４または芳香剤入り容器５を収容可能な大きさを有する。
【００４４】
上記本体部１の開口縁１７と蓋部２の開口縁１８との間に、内部を封止した状態で上下方向へ伸縮可能なここでは薄いプラスチックフィルム製で蛇腹状の伸縮可動部６を設けてある。
【００４５】
そして上記蓋部２には、弾性をもって上方へ開くように上記ヒンジ部１９に図示は省略するがねじりコイルバネを軸装するとともに、その弾性に対応して金属板状の重り部７を設けてある。これにより、乗物による振動を受けた際に、該蓋部２がその重みと上記バネとのバランスで、上下方向への往復運動を繰り返し得るようにしてある。またここでは蓋部２に、内外を連通する通気孔８を形成してある。
【００４６】
なお、上記各実施例では、本体部１と底部３との間で分離可能としたが、それに限らず本体部１の中間位置で上下に分離可能としてもよい。また各寸法、通気孔８の数や大きさ等は上記に限らず、芳香剤の種類等によって異なるようにすればよい。
【産業上の利用可能性】
【００４７】
上記実施例１に記載のものを試作し、普通乗用車のダッシュボード上に両面テープで載置固定して、市街地や高速道路等を約１０００ｋｍの距離にわたって走行した。その際の本考案に係る芳香剤拡散装置の作動状態は、比較的ゆっくり走行した場合でも、また道路のうねりや高速道路の継ぎ目その他の凹凸のある場所でも、その際の振動によって伸縮可動部８がフワフワと上下動を繰り返していた。
【００４８】
この上下動により、内部気圧が変動して空気の流れが生じ、通気孔８から芳香が繰り返し発散・拡散し続けていた。荒れた路面と舗装道路とでは伸縮可動部６の上下動は当然に異なったが、芳香の強弱は感覚的には殆ど感じられない程度であった。これらの結果として、本芳香剤拡散装置は各種の自動車、列車、航空機、船舶やエレベータその他の振動を生ずる乗物等において効果的なものであり、利用可能性があることが判った。
【図面の簡単な説明】
【００４９】
【図１】本考案に係る乗物用芳香剤拡散装置の実施例の一つを示すもので、その一部縦断正面図である。
【図２】図１で示した実施例において、乗物の振動で伸縮可動部が上方へ伸長した際の状態を示す一部縦断正面図である。
【図３】図１で示した実施例において、乗物の振動で伸縮可動部が短縮した際に芳香が発散・拡散する状態を示す正面図である。
【図４】本考案に係る乗物用芳香剤拡散装置の他の実施例を示す一部縦断正面図である。
【図５】本考案に係る乗物用芳香剤拡散装置のさらに他の実施例を示す一部縦断正面図である。
【符号の説明】
【００５０】
１−本体部
２−蓋部
３−底部
４−芳香剤
５−芳香剤入り容器
６−伸縮可動部
７−重り部
８−通気孔
９−バネ
１０−ネジ部
１１−ネジ部
１２−環状凹部
１３−リブ
１４−両面接着テープ
１５−両面接着テープ
１６−ダッシュボード
１７−開口縁
１８−開口縁
１９−ヒンジ部
【図１】
0003140434.tif 000003
【図２】
0003140434.tif 000004
【図３】
0003140434.tif 000005
【図４】
0003140434.tif 000006
【図５】
0003140434.tif 000007